(57)【要約】【課題】作業効率の向上を図ることができる畦塗り機を提供する。【解決手段】畦塗り機は、回転しながら元畦の土を耕耘して盛り上げる盛土体３を備える。畦塗り機は、盛土体３による盛土を締め固めて新畦を形成する畦形成体を備える。盛土体３は、元畦の土を耕耘して盛り上げる複数の耕耘爪32を有する。これら複数の耕耘爪32は、元畦の一部が板状の残耕部として残るように配置する。【選択図】図３
2014090685.tif 000002
【特許請求の範囲】
【請求項１】
回転しながら元畦の土を耕耘して盛り上げる盛土体と、
この盛土体による盛土を締め固めて新畦を形成する畦形成体とを備え、
前記盛土体は、元畦の土を耕耘して盛り上げる複数の耕耘爪を有し、
これら複数の耕耘爪は、元畦の一部が板状の残耕部として残るように配置されている
ことを特徴とする畦塗り機。
【請求項２】
左右方向に互いに隣り合う両耕耘爪のうちの一方の耕耘爪による切削領域と、前記両耕耘爪のうちの他方の耕耘爪による切削領域との間に、残耕部を残すための隙間が存在する
ことを特徴とする請求項１記載の畦塗り機。
【請求項３】
複数の耕耘爪は、元畦の一部が少なくとも２つの板状の残耕部として残るように配置されている
ことを特徴とする請求項１または２記載の畦塗り機。
【発明の詳細な説明】
【技術分野】
【０００１】
本発明は、作業効率の向上を図ることができる畦塗り機に関するものである。
【背景技術】
【０００２】
従来、例えば特許文献１に記載された畦塗り機が知られている。
【０００３】
この従来の畦塗り機は、トラクタ等の走行車に連結される機体と、この機体に回転可能に設けられ回転しながら元畦の土を耕耘して盛り上げる盛土体と、機体に回転可能に設けられ盛土体の後方で回転しながら盛土体による盛土を締め固めて新畦を形成する畦形成体とを備えている。
【０００４】
また、盛土体は、元畦の土を耕耘して盛り上げる複数の耕耘爪（切削爪）を有しているが、左右方向に互いに隣り合う両耕耘爪のうちの一方の耕耘爪による切削領域と他方の耕耘爪による切削領域との間に隙間がない。
【先行技術文献】
【特許文献】
【０００５】
【特許文献１】特開平１０−１５０８０４号公報（図２）
【発明の概要】
【発明が解決しようとする課題】
【０００６】
そして、上記従来の畦塗り機を使用して畦塗り作業を行う場合、図９に示すように、元畦の所定部分が盛土体にて切削され、盛土が畦形成体にて締め固められて新畦が形成されるが、この場合、例えば盛土体による元畦の切削量が比較的多いために、盛土体への負荷が大きく、作業効率の向上を図れないおそれがある。
【０００７】
本発明は、このような点に鑑みなされたもので、作業効率の向上を図ることができる畦塗り機を提供することを目的とする。
【課題を解決するための手段】
【０００８】
請求項１記載の畦塗り機は、回転しながら元畦の土を耕耘して盛り上げる盛土体と、この盛土体による盛土を締め固めて新畦を形成する畦形成体とを備え、前記盛土体は、元畦の土を耕耘して盛り上げる複数の耕耘爪を有し、これら複数の耕耘爪は、元畦の一部が板状の残耕部として残るように配置されているものである。
【０００９】
請求項２記載の畦塗り機は、請求項１記載の畦塗り機において、左右方向に互いに隣り合う両耕耘爪のうちの一方の耕耘爪による切削領域と、前記両耕耘爪のうちの他方の耕耘爪による切削領域との間に、残耕部を残すための隙間が存在するものである。
【００１０】
請求項３記載の畦塗り機は、請求項１または２記載の畦塗り機において、複数の耕耘爪は、元畦の一部が少なくとも２つの板状の残耕部として残るように配置されているものである。
【発明の効果】
【００１１】
本発明によれば、盛土体が有する複数の耕耘爪は、元畦の一部が板状の残耕部として残るように配置されているため、盛土体への負荷を低減でき、作業効率の向上を図ることができる。
【図面の簡単な説明】
【００１２】
【図１】本発明の一実施の形態に係る畦塗り機の平面図である。
【図２】同上畦塗り機の側面図である。
【図３】同上畦塗り機の盛土体の背面図である。
【図４】同上畦塗り機の盛土体の作用説明図である。
【図５】同上畦塗り機の畦形成体の作用説明図である。
【図６】同上畦塗り機の畦形成体の作用説明図である。
【図７】本発明の他の実施の形態に係る畦塗り機の盛土体の背面図および作用説明図である。
【図８】本発明のさらに他の実施の形態に係る畦塗り機の盛土体の背面図および作用説明図である。
【図９】従来の畦塗り機の作用説明図である。
【発明を実施するための形態】
【００１３】
本発明の一実施の形態について図面を参照して説明する。
【００１４】
図１および図２において、１は畦塗り機で、この畦塗り機１は、例えば走行車であるトラクタ（図示せず）の後部に連結され、トラクタの走行により圃場の畦に沿って進行方向（前方）に移動しながら畦塗り作業をするものである。
【００１５】
畦塗り機１は、図１および図２に示されるように、トラクタの後部の３点リンク部に脱着可能に連結された機体２と、この機体２に回転可能に設けられ左右方向の回転中心軸線ａを中心として所定方向に回転しながら田面および元畦の土を耕耘して盛り上げる盛土体（ロータリ部）３と、機体２に回転可能に設けられ盛土体３の後方で左右方向の回転中心軸線ｂを中心として所定方向に回転しながら盛土体３による盛土を締め固めて新畦を形成する畦形成体（ディスク部）４とを備えている。
【００１６】
また、畦塗り機１は、盛土体３を覆う盛土体カバー６と、畦形成体４を覆う畦形成体カバー７と、圃場に接地して走行する方向輪８と、非作業時に畦塗り機１の移動を容易にするためのスタンド９とを備えている。
【００１７】
機体２は、トラクタの後部の３点リンク部に脱着可能に連結された機枠11を有している。機枠11は、軸保持部12を有し、この軸保持部12には入力軸13が回転可能に設けられている。入力軸13は、図示しないトラクタのＰＴＯ軸にジョイントを介して接続されている。
【００１８】
機枠11には、盛土体３および畦形成体４をそれぞれ回転可能に支持した可動機枠15が平行リンク16を介して連結されている。可動機枠15は、回動シリンダ17の伸縮に基づく平行リンク16の回動により、機枠11に対して左右方向に移動可能となっている。
【００１９】
可動機枠15は、ミッションケース部20と、第１伝動ケース部である第１チェーンケース部21と、第２伝動ケース部である第２チェーンケース部22と、左右方向長手状のフレーム部23とを有している。ミッションケース部20には中間入力軸25が回転可能に設けられており、この中間入力軸25は、入力軸13にジョイント26を介して接続されている。
【００２０】
また、第２チェーンケース部22の下端部には、盛土体３が回転可能に設けられている。そして、畦塗り作業時には、盛土体３は、可動機枠15に対して中間入力軸25側からの動力により回転中心軸線ａを中心として所定方向に回転する。フレーム部23の右端部には、畦形成体４が回転可能に設けられている。そして、畦塗り作業時には、畦形成体４は、可動機枠15に対して中間入力軸25側からの動力により回転中心軸線ｂを中心として所定方向に回転する。
【００２１】
なお、畦形成体４は、盛土体３による盛土を締め固めて新畦の傾斜状の側面を形成する円錐台状の側面形成部4aと、盛土体３による盛土を締め固めて新畦の水平状の上面を形成する円筒状の上面形成部4bとを有している（図５参照）。
【００２２】
盛土体３は、図１ないし図４等に示されるように、機体２の可動機枠15の第２チェーンケース部22の下端部に回転可能に設けられた左右方向の駆動軸である回転軸31と、この回転軸31に取り付けられこの回転軸31とともに回転中心軸線ａを中心として所定方向に回転しながら田面および元畦の土を耕耘して盛り上げる複数の耕耘爪（切削爪）32とを有している。
【００２３】
そして、複数の耕耘爪32は、元畦の一部が互いに離間対向する平行な２つの進行方向長手状で鉛直板状の残耕部Ａとして残るように配置されている。つまり、複数の耕耘爪32は、盛土体３による元畦の耕耘（切削）の際に、元畦の一部が２つのみの鉛直板状の残耕部Ａとして残るように、回転軸31の爪取付部33に取り付けられている。
【００２４】
ここで、回転軸31は、第２チェーンケース部22の下端部にて回転可能に支持された左右方向に軸方向を有する細長状の回転軸部34と、この回転軸部34における軸方向に間隔をおいた複数箇所に突設された爪取付部33とを有しており、この各爪取付部33に耕耘爪32が脱着可能に取り付けられている。
【００２５】
また、回転軸31の先端に取り付けられた１番目の耕耘爪32は、背面視で略円弧状をなす第１爪板部材41にて構成されている。回転軸31の先端側から２番目および４番目の耕耘爪32は、背面視で略く字状をなす第２爪板部材42にて構成されている。回転軸31の先端側から３番目および５番目の耕耘爪32は、背面視で略く字状をなす第３爪板部材43にて構成されている。回転軸31の先端側から６番目および７番目の耕耘爪32は、背面視で略く字状をなす第４爪板部材44にて構成されている。
【００２６】
また、第１爪板部材41の先端と回転中心軸線ａとの間の距離よりも第２爪板部材42の先端と回転中心軸線ａとの間の距離が長く、第２爪板部材42の先端と回転中心軸線ａとの間の距離よりも第３爪板部材43の先端と回転中心軸線ａとの間の距離が長く、第３爪板部材43の先端と回転中心軸線ａとの間の距離よりも第４爪板部材44の先端と回転中心軸線ａとの間の距離が長くなっている。なお、第２爪板部材42の先端と回転中心軸線ａとの間の距離と第３爪板部材43の先端と回転中心軸線ａとの間の距離とが同じになるようにしてもよい。
【００２７】
そして、左右方向に互いに隣り合う両耕耘爪32のうちの一方の耕耘爪32による切削領域と、両耕耘爪32のうちの他方の耕耘爪32による切削領域との間には、残耕部Ａを残すための所定幅の隙間40が存在している。
【００２８】
すなわち例えば、１番目の耕耘爪（第１爪板部材41）32による切削領域と２番目の耕耘爪（第２爪板部材42）32による切削領域との間に隙間40が存在し、かつ、３番目の耕耘爪（第３爪板部材43）32による切削領域と４番目の耕耘爪（第２爪板部材42）32による切削領域との間に隙間40が存在している。なお、これら２つの隙間40の幅寸法は、互いに異なっているが、同じでもよい。
【００２９】
次に、畦塗り機１の作用等を説明する。
【００３０】
畦塗り機１をトラクタの後部に連結した状態で、トラクタの走行により畦塗り機１を進行方向前方に移動させると、盛土体３の耕耘爪32が回転中心軸線ａを中心として所定方向に回転しながら田面および元畦の土を耕耘して盛り上げ、畦形成体４が回転中心軸線ｂを中心として所定方向に回転しながら盛土体３による盛土を締め固めて新畦を形成する。
【００３１】
具体的には、まず、図４に示すように、元畦の所定部分が盛土体３の耕耘爪32にて耕耘切削され、この切削土が元畦上に盛土となって盛り上がる。
【００３２】
このとき、元畦のうち互いに隣り合う両耕耘爪32間の隙間40に対応する部分が、２つの鉛直板状の残耕部（未耕耘部）Ａとしてそのまま残り、これら残耕部Ａは盛土によって覆い隠される。
【００３３】
なお、第２爪板部材42の先端と回転中心軸線ａとの間の距離が、第３爪板部材43の先端と回転中心軸線ａとの間の距離よりも短いため、残耕部Ａの下端部の田面側には突出状の段部A1が形成されている。
【００３４】
次いで、図５に示すように、盛土体３の耕耘爪32にて盛り上げられた盛土が、畦形成体４の側面形成部4aおよび上面形成部4bにて締め固められて新畦が形成される。
【００３５】
このとき、２つの鉛直板状の残耕部Ａは、畦形成体４によって側方に押されて傾斜状となり、この傾斜状となった残耕部Ａの下方側には盛土体３で飛ばされた土が入り込む。
【００３６】
なお、例えば土質等によっては、残耕部Ａが畦形成体４によって側方に押されて倒れ、残耕部Ａと元畦との間に土がほとんど入らない場合もある（図６参照）。
【００３７】
そして、上記畦塗り機１によれば、盛土体３が有する複数の耕耘爪32は、元畦の一部が２つの鉛直板状の残耕部Ａとして残るように配置されているため、従来の場合に比べて、盛土体３による元畦の切削量が少なくなり、よって、盛土体３への負荷（抵抗）を低減できるため、トラクタの走行速度を速くでき、畦塗り作業の作業効率の向上を図ることができる。
【００３８】
また、新畦内には残耕部Ａが必ず残るため、従来の場合に比べて、崩れ難い強固な新畦を適切に形成することができる。
【００３９】
なお、畦塗り機１の盛土体３は、図３に示すものよりも、残耕部Ａ用の隙間40の幅寸法が大きくなるようにした図７に示すものでもよい。
【００４０】
この図７に示すものでは、回転軸31の先端に取り付けられた１番目の耕耘爪32は、背面視で略円弧状をなす第１爪板部材51にて構成されている。回転軸31の先端側から２番目および３番目の耕耘爪32は、背面視で略く字状をなす第２爪板部材52にて構成されている。回転軸31の先端側から４番目および５番目の耕耘爪32は、背面視で略く字状をなす第３爪板部材53にて構成されている。
【００４１】
また、第１爪板部材51の先端と回転中心軸線ａとの間の距離よりも第２爪板部材52の先端と回転中心軸線ａとの間の距離が長く、第２爪板部材52の先端と回転中心軸線ａとの間の距離よりも第３爪板部材53の先端と回転中心軸線ａとの間の距離が長くなっている。
【００４２】
そして、左右方向に互いに隣り合う両耕耘爪32のうちの一方の耕耘爪32による切削領域と、両耕耘爪32のうちの他方の耕耘爪32による切削領域との間には、残耕部Ａを残すための所定幅の隙間40が存在している。
【００４３】
すなわち例えば、１番目の耕耘爪（第１爪板部材51）32による切削領域と２番目の耕耘爪（第２爪板部材52）32による切削領域との間に隙間40が存在し、かつ、２番目の耕耘爪（第２爪板部材52）32による切削領域と３番目の耕耘爪（第２爪板部材52）32による切削領域との間に隙間40が存在している。なお、これら２つの隙間40の幅寸法は、互いに異なっているが、同じでもよい。
【００４４】
そして、このような盛土体３を備えた畦塗り機１でも、上述した畦塗り機１と同様の作用効果を奏することができる。
【００４５】
また、盛土体３の耕耘爪32の形状は任意であり、例えば直爪を用いた図８に示すものでも、同様の作用効果を奏することができる。
【００４６】
この図８に示す盛土体３では、回転軸31の先端に取り付けられた１番目の耕耘爪32は、背面視で略円弧状をなす第１爪板部材61にて構成されている。回転軸31の先端側から２番目ないし５番目の耕耘爪32は、背面視で上下方向直線状をなす第２爪板部材（直爪）62にて構成されている。回転軸31の先端側から６番目および７番目の耕耘爪32は、背面視で略く字状をなす第３爪板部材63にて構成されている。
【００４７】
また、第１爪板部材61の先端と回転中心軸線ａとの間の距離よりも第２爪板部材62の先端と回転中心軸線ａとの間の距離が長く、第２爪板部材62の先端と回転中心軸線ａとの間の距離よりも第３爪板部材63の先端と回転中心軸線ａとの間の距離が長くなっている。
【００４８】
そして、左右方向に互いに隣り合う両耕耘爪32のうちの一方の耕耘爪32による切削領域と、両耕耘爪32のうちの他方の耕耘爪32による切削領域との間には、残耕部Ａを残すための所定幅の隙間40が存在している。すなわち例えば、１番目の耕耘爪（第１爪板部材61）32による切削領域と２番目の耕耘爪（第２爪板部材62）32による切削領域との間に隙間40が存在し、２番目の耕耘爪（第２爪板部材62）32による切削領域と３番目の耕耘爪（第２爪板部材62）32による切削領域との間に隙間40が存在し、３番目の耕耘爪（第２爪板部材62）32による切削領域と４番目の耕耘爪（第２爪板部材62）32による切削領域との間に隙間40が存在し、４番目の耕耘爪（第２爪板部材62）32による切削領域と５番目の耕耘爪（第２爪板部材62）32による切削領域との間に隙間40が存在している。なお、これら４つの隙間40の幅寸法は、互いに同じである必要はなく、異なっていてもよい。
【００４９】
なお、いずれの実施の形態においても、残耕部の数は任意であり、例えば複数の耕耘爪32を元畦の一部が少なくとも２つの板状の残耕部として残るように配置した構成でもよく、また例えば複数の耕耘爪32を元畦の一部が１つのみの板状の残耕部として残るように配置した構成でもよい。
【００５０】
また、元畦の一部からなる板状の残耕部は、鉛直板状には限定されず、例えば傾斜板状でもよい。
【符号の説明】
【００５１】
１    畦塗り機
３    盛土体
４    畦形成体
32    耕耘爪
40    隙間
Ａ    残耕部
【図１】
2014090685.tif 000003
【図２】
2014090685.tif 000004
【図３】
2014090685.tif 000005
【図４】
2014090685.tif 000006
【図５】
2014090685.tif 000007
【図６】
2014090685.tif 000008
【図７】
2014090685.tif 000009
【図８】
2014090685.tif 000010
【図９】
2014090685.tif 000011